(57)【要約】【課題】収納棚の形状によらず取り付けが可能で収納物の出し入れの際に落下防止具の操作が不要な、物品の落下と飛び出しを防止する簡便な落下防止具を提供する。【解決手段】収納棚の開口部に横方向へ張られるベルトにより前記収納棚に収められた収納物の落下を防止する落下防止具であって、前記ベルトの上端が前記収納棚の奥方向へ傾けられている。【選択図】図１
2018068963.tif 000002
【特許請求の範囲】
【請求項１】
収納棚の開口部に横方向へ張られたベルトにより前記収納棚に収められた収納物の落下を防止する落下防止方法であって、
前記ベルトの上端が、前記収納棚の奥方向へ傾けられていることを特徴とする落下防止方法。
【請求項２】
収納棚の開口部に横方向へ張られるベルトにより前記収納棚に収められた収納物の落下を防止する落下防止具であって、
前記ベルトの上端が前記収納棚の奥方向へ傾けられていることを特徴とする落下防止具。
【請求項３】
前記落下防止具が前記ベルトを保持するベルト保持具を備え、
前記ベルト保持具が、前記ベルトの端部で該ベルトの上端を前記収納棚の奥方向へ傾けて保持するように構成されることを特徴とする請求項２に記載の落下防止具。
【請求項４】
前記ベルト保持具が、収納棚へ固着するための接着部を有することを特徴とする請求項３に記載の落下防止具。
【請求項５】
前記ベルト保持具が、前記ベルトの張力を調節可能に構成されることを特徴とする請求項３又は４に記載の落下防止具。
【発明の詳細な説明】
【技術分野】
【０００１】
本発明は、地震等により各種什器や本棚、または工場等の倉庫に設置された収納棚が振動しても、これらの収納棚の棚板に載置された物品の落下や飛び出しを防止する落下防止具に関する。
【背景技術】
【０００２】
従来、地震や意図しない何らかの物品の衝突等における振動、揺れ及び傾きで収納棚の棚板に載置された物品の落下や飛び出しを防止する装置が種々提案されている。
【０００３】
たとえば、特許文献１に開示される落下防止具は、棚からの物品の落下を防止するストッパー用棒とこのストッパー用棒の両端を嵌合して支持する支持部から成り、この支持部はストッパー用棒の先端部が嵌合して移動出来る移動回路を備えている。
【０００４】
また、特許文献２に開示される落下防止具は、収納物が置かれる棚の上に落下防止シートを貼って摩擦力で収納物の移動を困難にして収納物の落下を防止するするものである。
【先行技術文献】
【特許文献】
【０００５】
【特許文献１】特開２００５−０５２６０３号公報
【特許文献２】特開２００３−０７９４６１号公報
【発明の概要】
【発明が解決しようとする課題】
【０００６】
しかしながら、特許文献１に開示される落下防止具は、その構造が複雑で価格が高いという問題があり、より簡便な落下防止具が望まれている。また、特許文献２に開示される発明は強い振動が加わると摩擦力だけでは収納物の落下を防止できないという問題がある。
【０００７】
この発明の目的は、上述した事情に鑑みなされたもので、収納棚の形状によらず取り付けが可能で収納物の出し入れの際に落下防止具の操作が不要な、物品の落下と飛び出しを防止する簡便な落下防止具を提供することである。
【課題を解決するための手段】
【０００８】
本発明の落下防止方法は、収納棚の開口部に横方向へ張られたベルトにより前記収納棚に収められた収納物の落下を防止する落下防止方法であって、前記ベルトの上端が、前記収納棚の奥方向へ傾けられていることを特徴とする。
【０００９】
本発明の落下防止具は、収納棚の開口部に横方向へ張られるベルトにより前記収納棚に収められた収納物の落下を防止する落下防止具であって、前記ベルトの上端が前記収納棚の奥方向へ傾けられていることを特徴とする。
【００１０】
ベルトの上端が前記収納棚の奥方向へ傾けられているので、収納物が振動で開口部のある手前方向へ移動すると、最初にベルトの上端へ収納物が接触する。収納物が更に手前に移動するとベルトがねじられて帯の全体が収納物に当たることになる。このように帯をねじれることで収納物の移動エネルギーが消費され収納物の移動量が減り収納物の落下を防止するように作用する。
【００１１】
本発明の落下防止具は、前記落下防止具が前記ベルトを保持するベルト保持具を備え、このベルト保持具が、前記ベルトの端部で該ベルトの上端を前記収納棚の奥方向へ傾けて保持するように構成されることを特徴とする。
【００１２】
ベルトの端部はベルト保持具により上端を前記収納棚の奥方向へ傾けて保持するように保持されて落下防止機能を発揮する。
【００１３】
本発明の落下防止具は、前記ベルト保持具が、収納棚へ固着するための接着部を有することを特徴とする。
【００１４】
ベルト保持具が接着部を有するので、ここへ接着材や両面テープを付けることで収納棚へのベルト保持具の固着が容易になる。
【００１５】
本発明の落下防止具は、前記ベルト保持具が、前記ベルトの張力を調節可能に構成されることを特徴とする。
【００１６】
ベルト保持具が長さ調節機能を有するので、いろいろな開口部の幅を持つ収納棚への落下防止具の取り付けが容易になる。
【図面の簡単な説明】
【００１７】
【図１】落下防止具を書棚へ取り付けた様子の説明図である。
【図２】ベルト保持具１０にベルト９を取り付けた様子の説明図である。
【発明を実施するための形態】
【００１８】
以下、本発明の実施形態を図面に基づいて説明する。図１に示す本発明の落下防止具は、ベルト９と、ベルト９を保持するベルト保持具１０，２０を備えている。ベルトはその上端が収納棚の奥方向へ傾いている。図1ではベルトの両端部がベルト保持具１０，２０により保持されているが、ベルトの一端は、その収納棚の支柱や側壁５０に固定され、他端をベルト保持具により保持してもよい。そしてベルトの一端を支柱や側壁５０に固定する場合にその固定方法は問わない。
【００１９】
図２のベルト保持具１０はＬ字型に成形され、立設部２には、ベルトを傾けて保持する長孔４，５，６が設けられている。この穴へベルトを通すことでベルトと長孔の淵の摩擦力によりベルトの移動が妨げられる。
【００２０】
図２を用いて本実施形態の落下防止具の構成部品であるベルト９とベルト保持具１０の関係を説明する。ベルト９をベルト保持具１０へ取り付ける際に、長孔６へベルトを外側（図面の手前方向）へ通して、収納棚の開口部の幅に合わせてベルトの長さを決め長孔５から内側（図面の右側方向）へベルトを差し込み、さらに内側から外側（図面の手前方向）ベルトを引き出す。ベルトの種類を選ぶと図２の3つの長孔４，５，６を通すことで長孔の縁とベルトの間の摩擦力によってベルトが固定される。摩擦力が不足する場合は、さらに長孔を増やしても良い。また、ベルトの端部を長孔よりも大きいクリップ状のもので固定して、ベルト長を決めても良い。この長孔４，５，６がベルトの長さ調節機能を提供する。
【００２１】
ベルト保持具１０は、ベルト保持具を収納棚へ固着するための接着部となる底部３を有する。ここへベルト保持具を収納棚へ固着する接着層７となる接着剤や両面テープを付ける。図２のベルト保持具はＬ字型であるが、収納棚の側壁５０に取り付けるようにＵ字型でもよく、ベルト保持具の形状は任意である。また、ベルト保持具の材質は成形の容易さとコストの点から合成樹脂が好ましいが、金属、木材など、剛性の高いものであれば何でもよい。
【００２２】
ここで収納物の落下防止具の動作を説明する。外部からの振動によって収納棚の手前方向へ収納物は移動する。この移動はベルトにより規制されるが、移動量が大きくなるとベルトに当たる部分を支点として手前方向へ回転することで落下する場合がある。収納物の回転による落下を防止するには、収納物の重心よりも上方で抑えることが有効である。しかし、高い位置へ落下防止具を取り付けると収納物の出し入れができなくなるので、従来は、特許文献１に示すように収納物の出し入れに際して落下防止用の棒などを移動することが行われていた。
【００２３】
しかしながら、図書館などでは、本の出し入れの頻度が高いので本の出し入れの度に落下防止具を操作することは実務上好ましくない。そこで、本願発明の落下防止具は、本の出し入れの邪魔にならない様になるべく低い位置へ、ベルトの上端を収納棚の奥方向へ傾けて設置する。ベルトを傾けることで収納棚の正面から見たときのベルトの断面積が小さくなり収納物の出し入れがやりやすくなる。例えば本を入れるときはベルトの上を滑らせるように入れることができる。
【００２４】
外部からの振動で収納物が手前方向へ移動すると収納棚の奥方向へ上端が傾いたベルトの上端に接触する。さらに収納物が手前方向へ移動するとベルトは手前方向へ移動しながらベルトの上端から下端に向けて順次収納物と接触するようによじれる。ベルトはねじれに対して剛性があるのでそこで収納物の移動に使われるエネルギーを消費して、収納物の移動を抑えるとともに収納物を回転させるエネルギーも減少させることで収納物の落下が効果的に防止される。
【００２５】
比較のため、ベルトの上端の位置へ紐を張り、外部から振動を与えて収納物である本の落下実験を行った。その結果、紐によるの落下防止具を用いた場合に２冊の本が落下する外部振動に対して、本願発明の落下防止具を用いた場合は一冊の本も落下しなかった。
【００２６】
ベルトの材質は収納物によって所定のねじり剛性を有する材料を選ぶ。収納物が本などの比較的軽いものでは、市販の荷造り用のポリプロピレンベルト(略称：ＰＰベルト）を使用した。ベルトの幅、厚み、材質によりねじり剛性が決まってくるので、所定のねじり剛性が得られるものを選ぶ。
【００２７】
ベルト上端を奥方向へ傾ける際の角度は、試行錯誤の結果、ベルトの面が前面を向くところから、ベルトの上端を収納棚の奥方向へ約４５度傾けることが、本の出し入れと落下防止性能の観点から好ましいと判断した。角度を９０度、すなわち、ベルトの面を水平にすると本が移動してベルトに当たると水平方向へベルトがつぶれて割れ目が生じることがあり好ましくない。また、ベルトの面を鉛直にすると本の出し入れがやり難くなるので好ましくない。従って、両者の間を取って、４５度付近に設定した。
【００２８】
本願発明の落下防止具を使うことで、見映えが良いとともに安価で使い勝手の良い地震対策用の落下防止環境を作ることができる。
【符号の説明】
【００２９】
２  立設部
３  底部（接着面）
４，５，６  長孔
７  接着層
９  ベルト
１０、２０  ベルト保持具
１１  書籍類
５０  側壁
【図１】
2018068963.tif 000003
【図２】
2018068963.tif 000004